(57)【要約】【課題】天井裏足場支持用金具の天井吊ボルトからの離脱を防止する。【解決手段】天井裏に設けられる足場板を天井吊ボルト３に支持するための天井裏足場支持用金具６であって、天井吊ボルト３を内挿可能な切欠部１１を備え天井吊ボルト３の側方から移動して天井吊ボルト３を内挿するとともに天井吊ボルト３に螺合されたナット部材４上に載置される係止部１０と、この係止部１０と一体的に形成され足場板が載置される足場受部材５を支持する支持部２０と、係止部１０と一体的に形成され支持部２０とは逆側の端部から下方に垂下する垂下部３０とを備え、この垂下部３０の下端部には、天井吊ボルト３側に突出する突出部３１が形成されていることを特徴とする。【選択図】図１
2011012442.tif 000002
【特許請求の範囲】
【請求項１】
天井裏に設けられる足場板を天井吊ボルトに支持するための天井裏足場支持用金具であって、
天井吊ボルトを内挿可能な切欠部を備え前記天井吊ボルトの側方から移動して前記天井吊ボルトを内挿するとともに前記天井吊ボルトに螺合されたナット部材に支持される係止部と、
この係止部と一体的に形成され前記足場板が載置される足場受部材を支持する支持部と、
前記係止部と一体的に形成され前記支持部とは逆側の端部から下方に垂下する垂下部とを備え、
この垂下部の下端部には、前記天井吊ボルト側に突出する突出部が形成されている
ことを特徴とする天井裏足場支持用金具。
【請求項２】
前記切欠部の開口端側で少なくとも前記天井吊ボルトまたは前記ナット部材に係止することによって前記天井吊ボルトから前記係止部が離反するのを防止する固定機構をさらに備えた
ことを特徴とする請求項１に記載の天井裏足場支持用金具。
【請求項３】
前記固定機構は、前記天井吊ボルトの挿通位置よりも前記切欠部の開口端側に位置して前記ナット部材の側面に係止するように前記支持部または前記垂下部に螺合された棒状部材を備えて構成されている
ことを特徴とする請求項２に記載の天井裏足場支持用金具。
【請求項４】
前記固定機構は、前記天井吊ボルトの挿通位置よりも前記切欠部の開口端側に位置して前記天井吊ボルトの側面に係止するように前記突出部の先端からさらに突出した第二突出部を備えて構成されている
ことを特徴とする請求項２に記載の天井裏足場支持用金具。
【請求項５】
請求項１に記載の天井裏足場支持用金具を用いて足場板を天井吊ボルトに支持する天井裏足場支持構造であって、
前記ナット部材は、天井下地材を支持するハンガーを前記天井吊ボルトに固定するナットである
ことを特徴とする天井裏足場支持構造。
【請求項６】
前記ナット部材は上下一対のナットにて構成されており、
前記係止部は、前記一対のナットで挟持されて前記天井吊ボルトに固定されている
ことを特徴とする請求項５に記載の天井裏足場支持構造。
【発明の詳細な説明】
【技術分野】
【０００１】
本発明は、天井裏足場支持用金具およびこれを用いた天井裏足場支持構造に関する。
【背景技術】
【０００２】
従来、吊天井において天井下地の補修や補強作業を行う際には、天井下地に足場を架け渡して載置し、その足場に作業者が乗って作業することが一般的に行われていた。しかし、これでは天井下地に直接足場を載せているため、天井下地に局所的な荷重がかかり、天井下地が変形してしまう虞があった。
【０００３】
そこで近年では、天井下地の変形を防止するために、特許文献１に示すような支持構造が提案されていた。かかる支持構造は、横片に側部に向けて開口するボルト挿通孔を有し、縦片に横向きボルトを有するＬ字状固定金具を形成し、横片のボルト挿通孔に天井吊ボルトを受け入れ、上下の中間挿通ナットによって横片を挟着する一方、縦片の横向きボルトを、孔開きアングル材（枠材）の孔に挿通させてナットによって締着することで、枠材を固定して、この枠材を複数の天井吊ボルトに架設配置し、この枠材に直交して足場板を載置するように構成されている。
【先行技術文献】
【特許文献】
【０００４】
【特許文献１】特開２００６−２８３５１４号公報（図４および図５参照）
【発明の概要】
【発明が解決しようとする課題】
【０００５】
しかしながら、特許文献１の支持構造では、上下のナットによって横片を挟着することで固定金具を固定しているため、固定性能は、ナットの締付け力に左右されることとなり、万一、ナットが緩むと固定金具が天井吊ボルトから離脱してしまう虞があるという問題があった。
【０００６】
そこで、本発明は、前記の問題を解決するためになされたものであり、天井吊ボルトからの離脱を防止できる天井裏足場支持用金具およびこれを用いた天井裏足場支持構造を提供することを課題とする。
【課題を解決するための手段】
【０００７】
前記課題を解決するための請求項１に係る発明は、天井裏に設けられる足場板を天井吊ボルトに支持するための天井裏足場支持用金具であって、天井吊ボルトを内挿可能な切欠部を備え前記天井吊ボルトの側方から移動して前記天井吊ボルトを内挿するとともに前記天井吊ボルトに螺合されたナット部材に支持される係止部と、この係止部と一体的に形成され前記足場板が載置される足場受部材を支持する支持部と、前記係止部と一体的に形成され前記支持部とは逆側の端部から下方に垂下する垂下部とを備え、この垂下部の下端部には、前記天井吊ボルト側に突出する突出部が形成されていることを特徴とする天井裏足場支持用金具である。
【０００８】
このような構成によれば、突出部がナット部材の下面に係止されることで金具の浮き上がりを防止できる。また、天井下地材を支持するハンガー部分に本発明の金具を設けた場合は突出部がハンガーに当接するので、金具の水平方向（切欠部の延在方向）へのズレも防止できる。したがって、係止部が天井吊ボルトから離反することはなく、天井裏足場支持用金具の天井吊ボルトからの離脱を防止できる。
【０００９】
また、本発明は、前記切欠部の開口端側で少なくとも前記天井吊ボルトまたは前記ナット部材に係止することによって前記天井吊ボルトから前記係止部が離反するのを防止する固定機構をさらに備えたことを特徴とする。
【００１０】
このような構成によれば、固定機構が切欠部の開口端側で少なくとも天井吊ボルトまたはナット部材に係止することによって、天井吊ボルトが切欠部の最奥部と固定機構とで挟まれることとなり、係止部の天井吊ボルトからの離反防止効果をさらに高めることができる。
【００１１】
さらに、本発明は、前記固定機構が、前記天井吊ボルトの挿通位置よりも前記切欠部の開口端側に位置して前記ナット部材の側面に係止するように前記支持部または前記垂下部に螺合された棒状部材を備えて構成されていることを特徴とする。
【００１２】
このような構成によれば、支持部または垂下部に棒状部材を螺合させるといった簡単な構造で、棒状部材をナット部材の底面に係止させることができ、係止部の水平方向の抜出し側への移動を規制することができる。
【００１３】
また、本発明は、前記固定機構が、前記天井吊ボルトの挿通位置よりも前記切欠部の開口端側に位置して前記天井吊ボルトの側面に係止するように前記突出部の先端からさらに突出した第二突出部を備えて構成されていることを特徴とする。
【００１４】
このような構成によれば、別途の部材を設けることなく第二突出部を形成するといった簡単な構造で、第二突出部を天井吊ボルトの側面に係止させることができ、係止部の水平方向の抜出し側への移動を規制することができる。
【００１５】
さらに、本発明は、請求項１に記載の天井裏足場支持用金具を用いて足場板を天井吊ボルトに支持する天井裏足場支持構造であって、前記ナット部材は、天井下地材を支持するハンガーを前記天井吊ボルトに固定するナットであることを特徴とする。
【００１６】
ハンガーは、垂下部と支持部との間で、突出部が係止される部分に配置される部材である。このような構成によれば、前記突出部がハンガーに係止されるので、固定機構がなくても、係止部の水平方向の抜出し側への移動を規制することができる。
【００１７】
また、本発明は、前記天井裏足場支持構造において、前記ナット部材は上下一対のナットにて構成されており、前記係止部は、前記一対のナットで挟持されて前記天井吊ボルトに固定されていることを特徴とする。
【００１８】
このような構成によれば、金具が天井吊ボルトに挟持されて固定されるので、天井裏足場支持用金具の天井吊ボルトからの離脱効果をより一層高めることができる。
【発明の効果】
【００１９】
本発明によれば、天井裏足場支持用金具の天井吊ボルトからの離脱を防止することができるといった優れた効果を発揮する。
【図面の簡単な説明】
【００２０】
【図１】第一実施形態に係る天井裏足場支持用金具および天井裏足場支持構造を示した斜視図である。
【図２】第一実施形態に係る天井裏足場支持用金具を示した（ａ）は平面図、（ｂ）は左側面図、（ｃ）は正面図、（ｄ）は右側面図である。
【図３】第一実施形態に係る天井裏足場支持用金具および天井裏足場支持構造を採用した天井裏を示した斜視図である。
【図４】（ａ）〜（ｃ）は、第一実施形態に係る天井裏足場支持用金具の天井吊ボルトへの設置工程を示した側面図である。
【図５】第二実施形態に係る天井裏足場支持用金具および天井裏足場支持構造を示した斜視図である。
【図６】第一実施形態に係る天井裏足場支持用金具を示した（ａ）は平面図、（ｂ）は左側面図、（ｃ）は正面図、（ｄ）は右側面図である。
【発明を実施するための形態】
【００２１】
（第一実施形態）
本発明に係る天井裏足場支持用金具および天井裏足場支持構造を実施するための第一の実施形態について、図面を参照して詳細に説明する。なお、以下に説明する各実施形態において、足場板を載置して支持する足場受部材の延長方向をＸ軸方向とし、これと同じ水平面内でＸ軸と直交する方向をＹ軸方向とする。
【００２２】
図１および図３に示すように、本実施形態に係る天井裏足場支持構造１は、天井裏に設けられる足場板２（図３参照）を支持する支持構造であって、天井吊ボルト３に螺合されたナット部材４に係止されるとともに足場板２が載置される足場受部材５を支持する天井裏足場支持用金具６が用いられている。
【００２３】
本実施形態では、ナット部材４は、天井下地材７を支持するハンガー８を天井吊ボルト３に固定するナット４ａ，４ｂにて構成されている。ハンガー８は、ナット部材４によって支持される係止部８ａと、係止部８ａの端部から垂下する垂下部８ｂと、垂下部８ｂの下部に形成され天井下地材７を支持する支持部８ｃとを備えて構成されている。ハンガー８は、一定幅の長尺プレートを適宜折曲加工して形成されており、係止部８ａと垂下部８ｂと支持部８ｃは、互いに同等の幅に形成されている。
【００２４】
係止部８ａは、ナット部材４上（上側のナット４ａ上）に載置されて係止される。係止部８ａは、使用状態で水平方向に延在するように構成されている。係止部８ａには、中央部に貫通孔（図示せず）が形成されており、この貫通孔に天井吊ボルト３が挿通するようになっている。垂下部８ｂは、係止部８ａに対して直角に折曲されて構成されている。支持部８ｃは、垂下部８ｂの下部に連続して一体形成されており、断面Ｕ字状を呈している。支持部８ｃの先端側となる立上り部の先端部は外側に傾斜して形成されており、天井下地材７を内側に案内でき嵌め込み易くなっている。
【００２５】
天井下地材７は、Ｃ型チャンネルや、角パイプ等の形材（本実施形態ではＣ型チャンネル）にて構成されており、天井材を支持可能な強度を有している。天井下地材７は、重量を考慮してアルミニウム製の形材を用いるのが好ましい。ハンガー８を天井吊ボルト３に固定するナット４ａ，４ｂは、２つ設けられており、係止部８ａを上下から挟持するように構成されている（図２の（ｂ）および（ｄ）参照）。つまり、ナット部材４は、上下一対のナット４ａ，４ｂにて構成されている。
【００２６】
図３に示すように、天井吊ボルト３は、上下方向に延出してＸ軸方向およびＹ軸方向にそれぞれ所定の間隔を隔てて配置されており、図示しない上方の床スラブや屋根下地等に吊るされて支持されている。天井吊ボルト３は、全長に亘って外周面にオネジ３ａが形成されており、その下端で固定金具を介して天井下地材７を支持するようになっている。ナット部材４は、内周面にメネジ（図示せず）を備えて、天井吊ボルト３のオネジ３ａ（図１参照）に螺合されており、回転することで天井吊ボルト３に沿って昇降可能になっている。足場受部材５は、Ｃ型チャンネルや、角パイプ等の形材（本実施形態ではＣ型チャンネル）にて構成されており、足場板２や作業者等の積載荷重を支持可能な強度を有している。足場受部材５は、重量を考慮してアルミニウム製の形材を用いるのが好ましい。
【００２７】
図１および図２に示すように、天井裏足場支持用金具６は、ナット部材４上に載置される係止部１０と、足場受部材５を支持する支持部２０と、支持部２０とは逆側に位置する係止部１０の端部から下方に垂下する垂下部３０と、を備えて構成されている。係止部１０と支持部２０と垂下部３０は、金属製プレートを折曲加工することで一体形成されている。また、天井裏足場支持用金具６は、天井吊ボルト３から係止部１０が離反するのを防止する固定機構４０をさらに備えている。
【００２８】
係止部１０は、天井吊ボルト３を内挿可能な切欠部１１を備えており、天井吊ボルト３の側方から移動して天井吊ボルト３を切欠部１１内に受け入れて内挿するように構成されている。係止部１０は、平面視して長方形を呈しており、ナット部材４の水平投影面積よりも大きい面積を有している。切欠部１１は、係止部１０のＸ軸方向（足場受部材５の延長方向）端部の一辺の中央部から直線状に切り欠かれて形成されている。切欠部１１は、天井吊ボルト３の外径と略同等の幅寸法を有しており、切欠き方向の最も奥側部分（以下「最奥部」という場合がある）は、天井吊ボルト３の外径と同径の半円状を呈している。切欠部１１の最奥部の半円の中心は、係止部１０の長方形の一対の対角線が交差する位置にあり、係止部１０の重心位置に天井吊ボルト３が内挿されるように構成されている。係止部１０は、ナット部材４のうち、上側のナット４ａの上に載置されて係止されている。
【００２９】
支持部２０は、足場受部材５の底面と側面に沿うように形成されており、断面Ｕ字状を呈している。支持部２０は、底板部２０ａと、底板部２０ａの幅方向（Ｙ軸方向）両端から立ち上がる一対の側壁部２０ｂ，２０ｃとを備えて構成されている。係止部１０側に位置する側壁部２０ｂは、係止部１０のＹ軸方向端部から下方に向かって直角に折曲して垂下して構成されている。側壁部２０ｂは、足場受部材５の高さよりも長い高さ寸法を有している。
【００３０】
底板部２０ａは、側壁部２０ｂの下端部から天井吊ボルト３とは逆側に向かって直角に折曲して水平に形成されている。底板部２０ａは、足場受部材５の幅と同等の幅寸法を有して平板状に形成されており、その上面に足場受部材５が載置される。
【００３１】
係止部１０とは逆側に位置する側壁部２０ｃは、底板部２０ａのＹ軸方向端部から上方に向かって直角に折曲して垂直に立ち上がっている。側壁部２０ｃは対向する側壁部２０ｂと、足場受部材５の幅と同等の間隔を隔てて配置されている。側壁部２０ｃは、足場受部材５の高さよりも長い高さ寸法（側壁部２０ｂと同等）を有しており、その上端部は、係止部１０と同じ高さに位置している。
【００３２】
このような構成の支持部２０によれば、足場受部材５は、底板部２０ａ上に載置されて、底板部２０ａでその自重および積載荷重が支持され、側壁部２０ｂ，２０ｃによって幅方向両側から挟まれて、幅方向への動きが規制されるようになっている。
【００３３】
垂下部３０は、係止部１０の、支持部２０とは逆側のＹ軸方向端部に、下方に垂れ下がって形成されている。垂下部３０は、係止部１０に対して直角に折曲して連結されている。垂下部３０の下端部には、天井吊ボルト３側に突出する突出部３１が形成されている。突出部３１は、垂下部３０に対して直角に折曲して形成されており、支持部２０側に向かって水平に突出している。突出部３１は、天井裏足場支持用金具６を天井吊ボルト３に装着した状態で、ナット部材４の下方に位置して、その先端が天井吊ボルト３に近接するように構成されている。また、このとき、ハンガー８は、垂下部３０と支持部２０の側壁部２０ｂとの間に位置して、ハンガー８の垂下部８ｂが、天井裏足場支持用金具６の垂下部３０に対して直角になるように構成されている。ここで、突出部３１は、ハンガー８の垂下部８ｂよりも、切欠部１１の開口端１１ａ側に位置しており、突出部３１のＸ軸方向端部（切欠部１１の切欠き方向の奥側端部）は、ハンガー８の垂下部８ｂに近接するように構成されている。このような構成によって、突出部３１は、ハンガー８の垂下部８ｂに当接することで、天井裏足場支持用金具６の水平方向（切欠部１１の延在方向）へのズレを防止する役目を果たす。
【００３４】
固定機構４０は、切欠部１１の開口端１１ａ側で少なくとも天井吊ボルト３またはナット部材４（本実施形態では、ナット部材４を構成する下側のナット４ｂ）に係止することによって、天井吊ボルト３から係止部１０が離反するのを防止するように構成されている。具体的には、固定機構４０は、天井吊ボルト３の挿通位置（係止部１０の重心位置）よりも切欠部１１の開口端１１ａ側で、ナット部材４の側部に位置してナット部材４の側面に係止するように垂下部３０に取り付けられたボルト（棒状部材）４１を備えて構成されている。本実施形態では、ボルト４１は、ハンガー８の係止部８ａの先端部（Ｘ軸方向に見て切欠部１１の開口端１１ａ側端部）の下側にも係止する。
【００３５】
支持部２０の側壁部２０ｂ，２０ｃには、ボルト４１が挿通するボルト挿通孔２１，２１がそれぞれ形成されている。また、垂下部３０には、ボルト４１が螺合するボルト孔３３が形成されている。このボルト孔３３と、支持部２０のボルト挿通孔２１，２１は、Ｙ軸方向に沿って直線状に配置形成されている。ボルト孔３３には、肉厚部３３ａが形成されており、内部に形成されるメネジ（図示せず）の長さを長くして、ボルト４１の締付力を増強している。ボルト４１は、Ｙ軸方向に沿って配置されており、支持部２０の側壁部２０ｃ側からボルト挿通孔２１，２１に挿通され、先端部がボルト孔３３に螺合することで天井裏足場支持用金具６に固定される。
【００３６】
なお、本実施形態では、垂下部３０にメネジを有するボルト孔３３を形成しているが、ボルト孔３３の形成位置はこれに限定されるものではなく、支持部２０の側壁部２０ｂ，２０ｃのいずれか、または両方にボルト孔を形成してもよい。このようにすれば、側壁部２０ｂからボルト４１を片持ちで延出させる構成とすれば、垂下部３０にボルト孔を形成しなくても済む。
【００３７】
また、本実施形態では、ボルト４１が、ナット部材４の側面に係止するように構成されているが、天井吊ボルト３から係止部１０が離反しない範囲であれば、ボルト４１を、天井吊ボルト３の側面と係止するように構成してもよい。
【００３８】
さらに、本実施形態では、ボルト４１の挿入方向をＹ軸に沿うようにしているが、天井吊ボルト３から係止部１０が離反しない範囲であれば、Ｙ軸から傾斜して配置するようにしてもよい。
【００３９】
次に、以上のような構成の天井裏足場支持用金具６および天井裏足場支持構造１の組み立て工程と併せて、その作用効果を説明する。
【００４０】
天井裏で天井下地の補修や補強作業を行うべく天井裏足場支持構造１を形成するに際しては、まず、天井裏足場支持用金具６を天井吊ボルト３に螺合されているナット部材４に掛け止める。天井裏足場支持用金具６を掛け止めるには、図４の（ａ）に示すように、ハンガー８およびナット部材４の上方で、係止部１０が上下方向に沿って切欠部１１が上側に開口するように天井裏足場支持用金具６を横向きにした状態で、支持部２０の側壁部２０ｂと垂下部３０との間に天井吊ボルト３が入り込むように、天井裏足場支持用金具６を天井吊ボルト３側に移動させる。このとき、天井吊ボルト３は、支持部２０の側壁部２０ｂと垂下部３０の突出部３１との間を通過して側壁部２０ｂと垂下部３０との間に入り込む。その後、図４の（ｂ）に示すように、そして、垂下部３０の突出部３１がハンガー８およびナット部材４に干渉しないように、切欠部１１に天井吊ボルト３を内挿させつつ、ナット部材４の周辺まで降下させる。そして、図４の（ｃ）に示すように、切欠部１１の奥側端部近傍を中心に天井裏足場支持用金具６を回動させて、係止部１０をナット部材４の上に載置させる。このとき、天井裏足場支持用金具６は、天井吊ボルト３が係止部１０の重心部に位置するので安定した状態で載置されるとともに、所定の高さに位置決めされ設置されることとなる。
【００４１】
この状態で、突出部３１が、ハンガー８の垂下部８ｂに近接しているので、天井裏足場支持用金具６がハンガー８の垂下部８ｂ側（図４の（ｃ）中、左側）に移動しようとしても、突出部３１がハンガー８の垂下部８ｂに当接するので、天井裏足場支持用金具６はそれ以上移動せず、天井裏足場支持用金具６が天井吊ボルト３から離反することはない。また、天井裏足場支持用金具６が前記方向（垂下部８ｂ側）を除く方向に移動しようとしても、天井吊ボルト３が切欠部１１の側面に当接するので、天井裏足場支持用金具６はそれ以上移動せず、天井裏足場支持用金具６が天井吊ボルト３から離反することはない。
【００４２】
さらに、天井裏足場支持用金具６が浮き上がろうとしても、突出部３１がナット部材４のうちの下側のナット４ｂの底面に当接するので、天井裏足場支持用金具６の浮き上がりを防止することができる。
【００４３】
天井裏足場支持用金具６は、以上のように、天井吊ボルト３から離反することを防止できるが、本実施形態では、天井吊ボルト３からの離反防止効果を高めるために、固定機構４０をさらに設ける。
【００４４】
固定機構４０を設けるに際しては、ボルト４１を、支持部２０の側壁部２０ｂ，２０ｃに形成されたボルト挿通孔２１，２１から挿通して、その先端部を垂下部３０のボルト孔３３に螺合させる。このとき、天井吊ボルト３は、水平方向に見て、切欠部１１とボルト４１によって取り囲まれ、さらに、ハンガー８の係止部８ａは、上下方向に見て、係止部１０とボルト４１によって挟まれる。これによって、天井裏足場支持用金具６は、水平方向および上下方向において固定されることとなる。すなわち、ボルト４１が、係止部１０の水平方向の抜出し側への移動を規制するとともに、係止部１０の鉛直方向の上側への移動を規制することができるので、天井裏足場支持用金具６が天井吊ボルト３から離反することはない。また、このような構成によれば、万一、天井裏足場支持用金具６が回動したとしても、天井吊ボルト３が、切欠部１１とボルト４１によって取り囲まれているので、係止部１０が天井吊ボルト３から離反するのを確実に防止できる。
【００４５】
天井裏足場支持用金具６は、図３に示すように、Ｘ軸方向およびＹ軸方向に所定の間隔を隔てて端位置された複数の天井吊ボルト３，３・・にそれぞれ設けられており、Ｘ軸方向に離間して配置された天井裏足場支持用金具６，６間に、足場受部材５を架け渡して支持する。足場受部材５は、支持部２０のＸ軸方向側方から、底板部２０ａ、側壁部２０ｂ，２０ｃおよびボルト４１で取り囲まれた空間に挿入するようにして設置される。なお、足場受部材５は、ボルト４１の装着前に、支持部２０の上方から載置するようにしてもよい。支持部２０に支持された足場受部材５は、ボルト４１によって上側が係止されるので、足場受部材５の浮き上がりを防止することができる。
【００４６】
足場受部材５は、Ｙ軸方向に所定の間隔をあけて複数配置され、これら足場受部材５，５間に、足場板２を架け渡して載置する。これによって、天井裏足場が形成され、天井下地に荷重をかけることなく作業を行うことができる。
【００４７】
また、本実施形態の天井裏足場支持構造１によれば、既存のナット部材４を利用することができるので、新たにナット部材を設けなくて済む。
【００４８】
（第二実施形態）
次に、本発明に係る天井裏足場支持用金具および天井裏足場支持構造を実施するための第二の実施形態について、図面を参照して詳細に説明する。
【００４９】
図５および図６に示すように、第二実施形態に係る天井裏足場支持構造１０１は、天井下地材７を支持するハンガー８を天井吊ボルト３に固定するナットからなるナット部材４に支持される点は第一実施形態と同様であるが、固定機構１４０の構成と、係止部１０のナット部材４による支持の形状が第一実施形態と異なっている。また、天井裏足場支持用金具１０６は、固定機構１４０の構成が第一実施形態と異なっている。
【００５０】
天井裏足場支持用金具１０６の固定機構１４０は、垂下部３０の下端の突出部３１の先端からさらに突出した第二突出部１４１を備えて構成されている。第二突出部１４１は、天井吊ボルト３の挿通位置よりも切欠部１１の開口端１１ａ側に位置しており、天井吊ボルト３の側面（切欠部１１の開口端１１ａ側の側面）を覆って係止するように形成されている。突出部３１と第二突出部１４１は、同一平面上で一体的に形成されており、天井吊ボルト３の一部を覆う段差を有するように平面視でＬ字状を呈している。第二突出部１４１は、その突出方向（Ｘ軸方向）の先端部と、支持部２０の側壁部２０ｂの表面との離間寸法が、天井吊ボルト３の外径よりも大きくなるように形成されており、第二突出部１４１と支持部２０の側壁部２０ｂとの間を天井吊ボルト３が通過できるように構成されている。
【００５１】
天井裏足場支持用金具１０６では、固定機構１４０が第二突出部１４１にて構成されているので、第一実施形態のようなボルト（棒状部材）は設けなくてよい。なお、天井裏足場支持用金具１０６のその他の構成については、第一実施形態と同等であるので、同じ符号を付して説明を省略する。
【００５２】
係止部１０のナット部材４による支持の形状は、第一実施形態では、係止部１０をナット部材４のうちの上側のナット４ａの上に係止部１０を載置していたのに対して、第二実施形態では、ナット部材４のうちの下側のナット４ｂの上に、ハンガー８の係止部８ａを介して、天井裏足場支持用金具６の係止部１０を載置して、係止部１０の上側から、上側のナット４ａで締め付けている。つまり、第二実施形態では、係止部１０を上下のナット４ａ，４ｂで締め付けて挟持して支持している。
【００５３】
次に、以上のような構成の天井裏足場支持用金具１０６および天井裏足場支持構造１０１の組み立て工程と併せて、その作用効果を説明する。
【００５４】
天井裏で天井下地の補修や補強作業を行うべく天井裏足場支持構造１０１を形成するに際しては、まず、天井裏足場支持用金具１０６を天井吊ボルト３に螺合しているナット部材４に掛け止める。天井裏足場支持用金具１０６を掛け止めるには、図示しないが、まず、ナット部材４のうち、上側のナット４ａを回転させて上方に移動させておく。ナット４ａは、天井裏足場支持用金具１０６が通過できる高さ分、上方に移動させればよい。その後、第一実施形態と同等の工程を行い、天井裏足場支持用金具６の係止部１０を、ナット部材４うちの下側のナット４ｂの上の、ハンガー８の係止部８ａ上に載置させる。その後、上側のナット４ａを逆回転させて、下方に移動させ、上下のナット４ａ，４ｂで、天井裏足場支持用金具６の係止部１０およびハンガー８の係止部８ａを締め付けて固定する。このとき、天井裏足場支持用金具１０６は、天井吊ボルト３が係止部１０の重心部に位置するので安定した状態で天井吊ボルト３に固定されるとともに、所定の高さに位置決めされ設置されることとなる。
【００５５】
本実施形態によれば、係止部１０を上下のナット４ａ，４ｂで締め付けて挟持しているので、天井裏足場支持用金具６が移動することはなく、天井裏足場支持用金具６が天井吊ボルト３から離反することはない。また、既存のナット４ａ，４ｂで係止部１０を締め付けているので、別途のナットを設ける必要がない。
【００５６】
万一、ナット４ａ，４ｂによる締付けが緩んで天井裏足場支持用金具６が移動しようとしても、突出部３１がハンガー８の垂下部８ｂに当接するとともに、第二突出部１４１が天井吊ボルト３の側面に当接するので、天井裏足場支持用金具１０６はそれ以上移動せず、天井裏足場支持用金具１０６が天井吊ボルト３から離反することはない。また、天井裏足場支持用金具１０６が前記方向（垂下部８ｂ側）の除く方向に移動しようとしても、天井吊ボルト３が切欠部１１の側面に当接するので、天井裏足場支持用金具１０６はそれ以上移動せず、天井裏足場支持用金具１０６が天井吊ボルト３から離反することはない。
【００５７】
また、天井裏足場支持用金具１０６を、ハンガーのないナット部材（ナット単体で設けられている）に係止させた場合であっても、第二突出部１４１が天井吊ボルト３の側面に当接するので、天井裏足場支持用金具１０６はそれ以上移動せず、ボルトを設けなくても天井裏足場支持用金具１０６が天井吊ボルト３から離反することはない。
【００５８】
さらに、天井裏足場支持用金具１０６が浮き上がろうとしても、突出部３１および第二突出部１４１がナット部材４のうちの下側のナット４ｂの底面に当接するので、天井裏足場支持用金具１０６の浮き上がりを防止することができる。
【００５９】
天井裏足場支持用金具１０６は、第一実施形態のように、固定機構としてボルトを設ける必要がないので、その分、構成が簡素化されるとともに、取付工程を省略することができる。また、本実施形態では、第一実施形態と同様に、ボルト孔３３およびボルト挿通孔２１，２１が設けられた形状で図示しているが、これらボルト孔３３およびボルト挿通孔２１，２１は設けていなくてもよい。
【００６０】
以上、本発明を実施するための形態についてそれぞれ説明したが、本発明は前記の各実施形態に限定されず、本発明の趣旨を逸脱しない範囲で、材質、形状や大きさなど適宜設計変更が可能である。例えば、第一実施形態では、固定機構４０としての棒状部材は、ボルト４１にて構成されているが、これに限定されるものではなく、支持部２０の側壁部２０ｂ，２０ｃや垂下部３０に着脱可能な構成を備えていれば、ピンやロッド等の他の棒状部材であってもよい。
【００６１】
また、第二実施形態では、ナット部材４を構成する上下一対のナット４ａ，４ｂで、天井裏足場支持用金具１０６の係止部１０を挟持しているが、これに限定されるものではない。例えば、係止部１０をナット４ａの上に載置して、その上部に設けられた別途のナットと、前記ナット４ａとで、係止部１０を挟持するようにしてもよい。なお、図示しない別途のナットは、一般形状のナットを天井吊ボルト３の施工時に予め装着しておいてもよいし、開閉式のボルト中間部差込ナットを装着してもよいし、また、一部が切り欠かれたボルト中間部差込ナットを装着してもよい。
【００６２】
また、前記構成の天井裏足場支持用金具６（１０６）は、ハンガー８を天井吊ボルト３に固定するためのナット部材４に係止されているが、これに限定されるものではない。例えば、ハンガー８よりも一定距離（例えば１０００ｍｍ程度）上方に設けられたナットに係止するようにすれば、隣接する天井裏足場支持用金具６（１０６）間に角パイプ等を架け渡して、安全帯のロープのフックを係止する部材として利用することもできる。
【符号の説明】
【００６３】
１      天井裏足場支持構造
２      足場板
３      天井吊ボルト
４      ナット部材
４ａ    ナット
４ｂ    ナット
５      足場受部材
６      天井裏足場支持用金具
７      天井下地材
８      ハンガー
１０    係止部
１１    切欠部
１１ａ  （切欠部の）開口端
２０    支持部
３０    垂下部
３１    突出部
４０    固定機構
４１    ボルト（棒状部材）
１０１  天井裏足場支持構造
１０６  天井裏足場支持用金具
１４０  固定機構
１４１  第二突出部
【図１】
2011012442.tif 000003
【図２】
2011012442.tif 000004
【図３】
2011012442.tif 000005
【図４】
2011012442.tif 000006
【図５】
2011012442.tif 000007
【図６】
2011012442.tif 000008